(57)【要約】【課題】折り畳み式携帯電話装置において、上筐体の長手方向の開閉機能と短手方向の開閉機能と、上筐体の表裏を反転した状態で折り畳む機能の三つの機能を備えた折り畳み式携帯電話装置を提供する。【解決手段】ヒンジユニットを第一のヒンジユニットと第二のヒンジユニットに分けて構成し、第一のヒンジユニットには、第一のヒンジユニット自体を下筐体に対して回転自在に支持する第一の回転軸と、第一のヒンジユニットに対して第二のヒンジユニットを回転自在に支持する第二の回転軸とを互いに直交して設け、第二のヒンジユニットには、第二のヒンジユニットに対して上筐体を回転自在に支持する第三の回転軸を第二の回転軸と互いに直交して設け、第一の回転軸、第二の回転軸、第三の回転軸の３つの回転軸方向の回転を組み合わせることにより、上筐体を下筐体に対して複数の開閉方向に開閉できるよう構成した。【選択図】図１
2005198062.tif 000002
【特許請求の範囲】
【請求項１】
第一の筐体に対して第二の筐体をヒンジユニットにより折り畳み可能に支持する折り畳み式携帯電話装置において、前記ヒンジユニットに互いに直交する３つの回転軸を設け、前記３つの回転軸方向の回転を組み合わせることにより、前記第二の筐体を複数の開閉方向に開閉できるよう構成したことを特徴とする折り畳み式携帯電話装置。
【請求項２】
前記ヒンジユニットを第一のヒンジユニットと第二のヒンジユニットに分けて構成し、
前記第一のヒンジユニットには、前記第一のヒンジユニット自体を前記第一の筐体に対して回転自在に支持する第一の回転軸と、前記第一のヒンジユニットに対して前記第二のヒンジユニットを回転自在に支持する第二の回転軸とを互いに直交して設け、
前記第二のヒンジユニットには、前記第二のヒンジユニットに対して前記第二の筐体を回転自在に支持する第三の回転軸を前記第二の回転軸と互いに直交して設け、
前記第一の回転軸、第二の回転軸、第三の回転軸の３つの回転軸方向の回転を組み合わせることにより、前記第二の筐体を前記第一の筐体に対して複数の開閉方向に開閉できるよう構成したことを特徴とする請求項１に記載の折り畳み式携帯電話装置。
【請求項３】
前記ヒンジユニットの内部を空洞として、制御信号用接続部材を通すよう構成した請求項１に記載の折り畳み式携帯電話装置。
【請求項４】
前記ヒンジユニットの３つの回転軸方向の回転角度の組み合わせに応じて、表示手段における表示の向きを変更する制御を行うようにした請求項１に記載の折り畳み式携帯電話装置。
【請求項５】
第一の筐体に対して第二の筐体を横方向に開閉自在にした折り畳み式携帯電話装置において、キートップの表示の向きを、横方向の開閉軸に対して傾斜して表示するようにしたことを特徴とする折り畳み式携帯電話装置。
【請求項６】
第一の筐体に対して画像表示部を有する第二の筐体を開閉自在にした折り畳み式携帯電話装置において、前記第一の筐体あるいは前記第二の筐体の表面に表示切替キーを設け、前記表示切替キーに人体の一部が接触した状態で前記第二の筐体を開いたときと、前記表示切替キーに人体の一部が接触していない状態で前記第二の筐体を開いたときとで、第二の筐体の画像表示部に表示する画像の向きを切り替えるようにしたことを特徴とする折り畳み式携帯電話装置。
【発明の詳細な説明】
【技術分野】
【０００１】
本発明は第一の筐体である下筐体に対して第二の筐体である上筐体を開閉可能にした折り畳み式携帯電話装置に関する。
【背景技術】
【０００２】
従来の折り畳み式携帯電話装置の多くは、下筐体と上筐体を１軸方向に開閉可能なヒンジで結合した構成を採用している。この構成によれば、携行時には下筐体と上筐体をコンパクトに二つに折り畳んで持ち運び、通話時には上筐体を携帯電話装置の長手方向に開いて通話に適した長さにして使用することができる。
【０００３】
最近の折り畳み式携帯電話装置の中には、互いに直交する２軸を有するヒンジ部を用いることにより、受信待機時に筐体を折り畳んだ状態において画像表示部を確認できるようにしたものが一部、実用化されている（例えば、特許文献１）。そして、携帯電話装置の使い方として、メール、インターネット、ゲーム等、通話しない機能については、上筐体を携帯電話装置の短手方向に開くことが便利であるとして、互いに直交する２軸を有するヒンジ部の一つの軸を筐体の端部に配置して、上筐体を携帯電話装置の長手方向と短手方向のどちらにも開くことが出来るようにした構成が提案されている（例えば、特許文献２）。
【０００４】
しかし、これら従来の構成では、上筐体の表裏を反転して下筐体に重ねることと、上筐体を携帯電話装置の長手方向と短手方向のどちらにも開くという構成を同時に実現することはできなかった。そのため、互いに直交する２軸を有するヒンジ部を用いた折り畳み式携帯電話装置としては、長手方向の開閉機能と上筐体の表裏反転機能の組み合わせを採るか、長手方向の開閉機能と短手方向の開閉機能の組み合わせを採るか、いずれか一方を選択するしかないという状況にあった。
【特許文献１】特開２００２−１１８６３３号公報（第４頁、第４図）
【特許文献２】特開２００３−１１０６７３号公報（第２頁、第６図）
【発明の開示】
【発明が解決しようとする課題】
【０００５】
本発明は、上筐体の長手方向の開閉機能と、表裏反転機能と、短手方向の開閉機能の三つの機能を兼ね備えた折り畳み式携帯電話装置を提供することを第一の目的としている。
【０００６】
また、本発明は上筐体の長手方向の開閉機能と表裏反転機能と短手方向の開閉機能の三つの機能を同時に実現したにとどまらず、上筐体の画像表示部の向きを縦長の画面、いわゆるポートレート（肖像）の画面の向きと、それから９０度回転させた横長の画面、いわゆるランドスケープ（風景）の画面の向きを切り替える、上筐体の画像表示部の向きの縦横の切り替え機能を加えた四つの機能を備えた折り畳み式携帯電話装置を提供することを第二の目的としている。
【０００７】
また、上筐体を携帯電話装置の短手方向に開いたときに、下筐体を上筐体の後側で支える支持台として用い、支持台である下筐体に対して上筐体を所定の角度だけ傾斜した形で保持して、時計機能付き携帯電話装置を置き時計として使用し、あるいはテレビチューナー付き携帯電話装置をテレビ受信機として使用することができるようにした折り畳み式携帯電話装置を提供することを第三の目的としている。
【０００８】
また、上筐体を携帯電話装置の短手方向に開いたときに、下筐体の上表面のキー操作部
により携帯電話装置の短手方向からも、長手方向からも容易にキー入力操作できるようにした折り畳み式携帯電話装置を提供することを第四の目的としている。
【０００９】
そして、携帯電話装置の上筐体を短手方向に開くときに、同じ開き方であったとしても、携帯電話装置を手に持った状態で開くときと、手に持たずに開くときとで画像表示部の表示の向きを切り替えることができるようにした折り畳み式携帯電話装置を提供することを第五の目的としている。
【課題を解決するための手段】
【００１０】
本発明は、第一の筐体である下筐体に対して第二の筐体である上筐体をヒンジユニットにより折り畳み可能に支持する折り畳み式携帯電話装置において、ヒンジユニットに互いに直交する３つの回転軸を設け、３つの回転軸方向の回転を組み合わせることにより、第二の筐体を複数の開閉方向に開閉できるようにした構成を採る。
【００１１】
また本発明は、第一の筐体である下筐体に対して第二の筐体である上筐体をヒンジユニットにより折り畳み可能に支持する折り畳み式携帯電話装置において、ヒンジユニットを第一のヒンジユニットと第二のヒンジユニットに分けて構成し、第一のヒンジユニットには第一のヒンジユニット自体を第一の筐体に対して回転自在に支持する第一の回転軸と、第一のヒンジユニットに対して第二のヒンジユニットを回転自在に支持する第二の回転軸とを互いに直交して設け、第二のヒンジユニットには、第二のヒンジユニットに対して第二の筐体を回転自在に支持する第三の回転軸を第二の回転軸と互いに直交して設け、第一の回転軸、第二の回転軸、第三の回転軸の３つの回転軸方向の回転を組み合わせることにより、第二の筐体を第一の筐体に対して複数の開閉方向に開閉できるようにした構成を採る。
【００１２】
また本発明は、ヒンジユニットの内部を空洞として、制御信号用接続部材を通す構成を採る。
【００１３】
また本発明は、ヒンジユニットの３つの回転軸の回転角度の組み合わせに応じて、表示手段における表示の向きを変更する制御を行う構成を採る。
【００１４】
また本発明は、第一の筐体である下筐体に対して第二の筐体である上筐体を短手方向に開閉自在にした折り畳み式携帯電話装置において、キートップの表示の向きを短手方向の開閉軸に対して傾斜して表示する構成を採る。
【００１５】
また本発明は、第一の筐体である下筐体に対して画像表示部を有する第二の筐体である上筐体を開閉自在にした折り畳み式携帯電話装置において、第一の筐体あるいは第二の筐体の表面に表示切替キーを設け、表示切替キーに人体の一部が接触した状態で第二の筐体を開いたときと、表示切替キーに人体の一部が接触していない状態で第二の筐体を開いたときとで、第二の筐体の画像表示部に表示する画像の向きを切り替える構成を採る。
【発明の効果】
【００１６】
本発明によれば、下筐体に対して上筐体を開閉可能にした折り畳み式携帯電話装置において、主として通話のために上筐体を携帯電話装置の長手方向に開くという使い方と、着信した電子メールの文章を見るために上筐体を手帳のように短手方向に開くという使い方と、上筐体の表裏を反転して下筐体に重ねて画像表示部を折り畳んだ状態で確認するという使い方のための三つの開き方ができるという効果がある。
【００１７】
また、上記の三つの開き方に加えて、上筐体を下筐体に対して縦に起立させて、上筐体の画像表示部の向きを縦長のいわゆるポートレートの画面とし、あるいは上筐体を下筐体
に対して横に倒して横長のいわゆるランドスケープの画面に任意に切り替えることもできる。
【００１８】
そして、本発明は、上筐体を携帯電話装置の短手方向に開いたときの一態様として、下筐体を上筐体の画像表示部の裏側を支える支持台として用いることができるので、時計機能付き携帯電話装置を置き時計として使用し、あるいはテレビチューナー付き携帯電話装置をテレビ受信機として使うことができるという効果がある。
【００１９】
また本発明は、上筐体を携帯電話装置の短手方向に開いたときに、下筐体の上表面のキー操作部のキートップの文字や記号の表示が携帯電話装置の短手方向からも、長手方向からも読める方向に表示されているので、携帯電話装置の短手方向と長手方向のどちらからも容易にキー入力できるという効果がある。
【００２０】
また本発明は、携帯電話装置の上筐体を短手方向に開くときに、同じ開き方であったとしても、携帯電話装置を手に持った状態で開くときと、手に持たずに開くときとで画像表示部の表示の向きを切り替えることができるという効果がある。
【発明を実施するための最良の形態】
【００２１】
本発明は、第一の筐体である下筐体に対して第二の筐体である上筐体をヒンジユニットにより折り畳み可能に支持する折り畳み式携帯電話装置において、ヒンジユニットに互いに直交する３つの回転軸を設け、３つの回転軸方向の回転を組み合わせることにより、第二の筐体を複数の開閉方向に開閉できるようにした構成を最良の形態とする。
【００２２】
上記形態による本発明の折り畳み式携帯電話装置では、第二の筐体である上筐体を第一の筐体である下筐体に対して長手方向に開閉することも、上筐体の表裏を反転して折り畳むことも、上筐体を短手方向に開閉することも可能である。
【００２３】
また、本発明は、ヒンジユニットを第一のヒンジユニットと第二のヒンジユニットに分けて構成し、第一のヒンジユニットには、第一のヒンジユニット自体を第一の筐体に対して回転自在に支持する第一の回転軸と、第一のヒンジユニットに対して第二のヒンジユニットを回転自在に支持する第二の回転軸とを互いに直交して設け、第二のヒンジユニットには、第二のヒンジユニットに対して第二の筐体を回転自在に支持する第三の回転軸を第二の回転軸と互いに直交して設け、第一の回転軸、第二の回転軸、第三の回転軸の３つの回転軸方向の回転を組み合わせることにより、第二の筐体を第一の筐体に対して複数の開閉方向に開閉できる形態を採る。
【００２４】
上記形態による本発明の折り畳み式携帯電話装置では、上筐体を長手方向に開閉し、表裏を反転し、あるいは短手方向に開閉するにとどまらず、上筐体の画像表示部の向きを縦長の画面いわゆるポートレートの画面の向きと、横長の画面、いわゆるランドスケープの画面の向きを任意に変更することができる。
【００２５】
また本発明は、ヒンジユニットの内部を空洞として、制御信号用接続部材を通す形態を採る。
【００２６】
上記形態により、上筐体を任意の回転角度に配置を変更したとしても携帯電話装置としての所定の動作制御を行うことができるようにしている。
【００２７】
そして、本発明は、ヒンジユニットの３つの回転軸の回転角度の組み合わせに応じて、表示手段における表示の向きを変更する制御を行っている。
【００２８】
上記形態により、上筐体の回転角度を変えた後に、キー操作部によりいちいち表示の向きを変更しなくてすむという効果が得られる。
【００２９】
また、本発明は、下筐体に対して上筐体を短手方向に開いたとき、キートップの表示の向きを、短手方向の開閉軸に対して傾斜して表示するようにしている。
【００３０】
上記形態により、下筐体に対して上筐体を短手方向に開閉したときに、本発明の携帯電話装置を長手方向に持って電子手帳にようにキー入力したり、本発明の携帯電話装置を机の上にノートパソコンのように置いてキー入力したりすることができる。
【００３１】
そして本発明は、第一の筐体である下筐体に対して画像表示部を有する第二の筐体である上筐体を開閉自在にした折り畳み式携帯電話装置において、第一の筐体あるいは第二の筐体の表面に表示切替キーを設け、表示切替キーに人体の一部が接触した状態で第二の筐体を開いたときと、表示切替キーに人体の一部が接触していない状態で第二の筐体を開いたときとで、第二の筐体の画像表示部に表示する画像の向きを切り替えるようにしている。
【００３２】
上記形態により、同じ開き方であも、携帯電話装置を手に持った状態で開くときと、手に持たずに開くときとで画像表示部の表示の向きを切り替えることができる。
【００３３】
以下図面を用いて、本発明の折り畳み式携帯電話装置について説明する。
【００３４】
（実施の形態１）
図１に、本発明の第一の実施の形態に係る折り畳み式携帯電話装置１００の外観図を示す。折り畳み式携帯電話装置１００は、第一の筐体である下筐体１、ヒンジユニット２、第二の筐体である上筐体３の三つの主要部分からなり、ヒンジユニット２によって下筐体１と上筐体３が連結され互いに開閉あるいは回転自在に構成されている。
【００３５】
ヒンジユニット２は、二つの部分、すなわち第一のヒンジユニット２１と、第二のヒンジユニット２２に分かれている。第一のヒンジユニット２１の下面には、第一の回転軸４が有り、第一のヒンジユニット２１を下筐体１に対して図１のＡ矢印の方向、図面で見て水平方向に回転可能に支持している。そして、第一のヒンジユニット２１には第一の回転軸４と直交する第二の回転軸５を設けており、第二の回転軸５には第二のヒンジユニット２２を第一のユニット２１に対してＢ矢印のように回転可能に支持している。そして、第二のヒンジユニット２２には第二の回転軸５と直交する第三の回転軸６を設けている。第三の回転軸６は、上筐体３をＣ矢印のように回転可能に支持している。なお、下筐体１の側面には、上筐体３を閉じた状態でも操作することができるスイッチを設けている。図１の状態では、下筐体１に設けてあるテンキー等のキー操作部も、上筐体に設けてある画像表示部も下筐体１と上筐体３の内側にあるので、このまま携行することができる。
【００３６】
図２に、本発明の折り畳み式携帯電話装置１００の上筐体３を短手方向に開いたときの外観図を示す。図２では、図１の状態と比べて上筐体３だけが第三の回転軸６に対して反時計方向（Ｃ１矢印の向き）に回転して、上筐体３の画像表示部１２に画像が表示され、下筐体１の上表面のテンキー７３によりキー入力出来る姿になっている。
【００３７】
本発明の携帯電話装置１００では、特にテンキー７３の表面のキートップの文字、数字について、文字や数字の頭部が短手方向の開閉軸である第三の回転軸６に対して傾斜するように、図２でいうと上筐体３に近づく向きに傾けて印刷してある。そのため、使用者は、携帯電話装置１００を手帳のように長手方向に持って上筐体３を開き、表示された文字、数字を容易にキー入力することができる。また、携帯電話装置１００を机の上に置いて
、ノートパソコンのように上筐体３の画像表示部１２に向かってキー入力することができる。
【００３８】
図２で、本発明の携帯電話装置１００の下筐体１の上表面には、テンキー７３の他に、多方向キー７７、マイクロフォン１０、通話開始キー７５、終話キー７６が設けてある。また、下筐体１の右側面には、下筐体１に内蔵したカメラを動作するためシャッターボタン７１と表示切替キー７２を設けている。
【００３９】
そして、本発明の携帯電話装置１００携帯電話装置にはゲーム機能を付加しており、ノートパソコンのように上筐体３の画像表示部１２に向かって多方向キー７７を十字キーとして使い、通話開始キー７５をＡボタンとして、終話キー７６をＢボタンとして使うことによりゲーム機として使うこともできる。なお、図２では、上筐体３を左上方に開く構成を示したが、第二のヒンジユニット２２を第一のヒンジユニットの反対側に配置して、上筐体３を右上方に開く構成にしてもよい。
【００４０】
図３に、本発明の携帯電話装置１００について、図２のＸ−Ｘ断面図を示す。下筐体１には、携帯電話装置全体を制御する全体制御手段、無線通信用の回路手段等を実装した第一のプリント基板１３を収納している。下筐体１の上部には穴をあけ、第一の回転軸４を回転自在に支持している。第一の回転軸４はフランジ付きの円筒形をしており、下筐体１内にフランジ４ａがあり、フランジ４ａの表面に回転角度検出用の複数個の磁石３０を取り付けている。なお、第一のプリント基板１３にはホール素子を用いた第一の回転検出手段３１を実装して、磁石３０が接近したことを検出して、第一のヒンジユニット２１の回転角度を検出する。第一の回転軸４のフランジの反対側には摩擦係数の小さい材質のワッシャー８０を通した後、第一のヒンジユニット２１を圧入固定して、下筐体１上で第一のヒンジユニット２１が水平回転するようにしている。
【００４１】
第一のヒンジユニット２１の側面には、第二の回転軸５を設けている。第二の回転軸５の端面には回転角度検出用の磁石３２を取り付けてあり、第一のヒンジユニット２１内のホール素子を用いた第二の回転検出手段３３で回転角度を検出する。第二の回転軸５の他端には、第二のヒンジユニット２２を回転自在に設けている。そして、第二のヒンジユニット２２には第二の回転軸５と直交する第三の回転軸６を設けている。図３には示していないが、第三の回転軸６の端面には回転角度検出用の磁石が貼り付けてあり、第二のヒンジユニットに設けた、図示しないホール素子を用いた第三の回転検出手段３５により回転角度を検出するようにしてあることは、第一の回転軸４，第二の回転軸５の回転角度検出方法と同じである。第二のヒンジユニット２２に設けた第三の回転軸６の他端には、上筐体３を回転自在に支持している。
【００４２】
第一の回転軸４、第二の回転軸５、第三の回転軸６は、それぞれ内部が空洞になっていて、制御信号用接続部材であるフレキシブル基板１４を通している。フレキシブル基板１４は、一端を下筐体１の第一のプリント基板１３に接続し、ループを形成した上で第一の回転軸４を通り、再びループを形成した上で、第二の回転軸５を通り、第三の回転軸６を経て上筐体３の内部に入り、上筐体３内で再びループを形成した後、上筐体３の内部にある第二のプリント基板１５に接続している。なお、フレキシブル基板１４は、第一のヒンジユニット内の第二の回転検出手段３３、第二のヒンジユニット内の第三の回転検出手段３５に接続して、それぞれの回転検出手段で検出した回転角度情報が第一のプリント基板１３にある全体制御手段に伝わるようにしてある。上筐体３では、第二のプリント基板１５にコネクター１６が設けてあり、コネクター１６を介してカラー液晶表示装置からなる画像表示部１２が第二のプリント基板１５、ひいては下筐体１の第一のプリント基板１３に接続している。
【００４３】
図４に、本発明の携帯電話装置１００のブロック図を示す。図４では、下筐体１、ヒンジユニット２、そして上筐体３をそれぞれ破線１、破線２、破線３で示し、その中に収納されている各機能ブロックを示している。下筐体１には、携帯電話装置１００の全体的な制御を行う全体制御手段３６がある。全体制御手段３６には、記憶手段２３を接続していて、制御プログラムその他、電子電話帳用のデータ等、携帯電話装置１００の制御に必要な情報を記憶している。そして、全体制御手段３６には、下筐体１内にあって第一の回転軸４の回転角度を検出する第一の回転検出手段３１、第一のヒンジユニット２１内にあって第二の回転軸５の回転角度を検出する第二の回転検出手段３３、第二のヒンジユニット２２内にあって第三の回転軸６の回転角度を検出する第三の回転検出手段３５をそれぞれ接続している。そして、テンキー７３やシャツターボタン７１、表示切替キー７２等のキー操作部７０を接続していて、携帯電話装置１００の使用者がキー入力した入力情報を全体制御手段３６に伝えるようにしている。また、下筐体１には、携帯電話装置１００の使用者の音声を入力するマイクロフォン１０と、音声信号をディジタル信号に変換する音声処理部２４と、無線制御手段２５、送信部２６、受信部２７、内蔵アンテナ２８があり、全体制御手段３６の制御の下、マイクロフォン１０からの音声信号を、音声処理部２４、無線制御手段２５により、送信部２６から内蔵アンテナ２８を経て、図示しない携帯電話通信網に接続した他の携帯電話装置に向けて送信する。
【００４４】
本発明の携帯電話装置１００では、下筐体１に静止画あるいは動画を撮像するカメラ１８があり、画像処理手段１９を介して全体制御手段３６に接続している。キー操作部７０のシャッターボタン７２が押されると、カメラ１８で撮像した画像情報は、画像処理手段１９、全体制御手段３６により記憶手段２３に保存され、必要により読み出せるようにしている。また、本発明の携帯電話装置１００には、テレビアンテナ２０とテレビチューナー２９を下筐体１内に設けて、テレビ信号を受信することができるようにしている。上筐体３には、カラー液晶表示手段等を用いた画像表示部１２と、他の携帯電話装置から受信した通話相手の音声を出力するスピーカー１１を設けている。画像表示部１２は、全体制御手段３６の制御の下、操作に必要な画面を表示し、カメラ１８のモニター画面やテレビチューナー２９で得たテレビ画像、あるいは記憶手段２３に保存した画像を表示する。なお、画像表示部１２の表示の向きについては、第一の回転検出手段３１、第二の回転検出手段３３、第三の回転検出手段３５がそれぞれ検出した各回転軸の回転角度の組み合わせにより予め定めた向きに切り替えて表示するようにしている。上筐体３のスピーカー１１には、携帯電話網から受信した他の携帯電話装置からの音声、あるいは、テレビチューナーで受信したテレビの音声を出力するよう構成している。
【００４５】
図５にヒンジユニット２の外観図を示す。ヒンジユニット２は、第一のヒンジユニット２１と第二のヒンジユニット２２からなり、第一の回転軸４、第二の回転軸５、第三の回転軸６を設けている。既に示したように、第一のヒンジユニットは第一の回転軸４によって、下筐体１上で水平回転する。第二ヒンジユニット２２は、第一の回転軸４と直交する第二の回転軸５によって、第一のヒンジユニット２１に対して回転する。また、上筐体３（図示せず）は第二のヒンジユニット２２の第三の回転軸６について回転する。なお、第一の回転軸４、第二の回転軸５、第三の回転軸６はそれぞれ独立して回転する。上筐体３はこれら三つの回転軸の回転の組み合わせにより下筐体１に対して多様な角度で開閉あるいは回転する。
【００４６】
以下、多様な角度で開閉あるいは回転することを図面とともに説明するが、理解を助けるためにヒンジユニット２の動きを先に説明する。図５（ａ）は、第三の回転軸６について、図示しない上筐体３が反時計方向に９０度程度回転するときの姿（Ｃ１矢印）と１８０度程度回転するときの姿（Ｃ２矢印）を示している。図５（ｂ）は、第二のヒンジユニット２２が第一のヒンジユニット２１に対して時計方向に９０度回転し（Ｂ１矢印）、第三の回転軸６について上筐体３が反時計方向に９０度回転した（Ｃ１矢印）ときの姿を示
している。図５（ｃ）は、第二のヒンジユニット２２が第一のヒンジユニット２１に対して時計方向に１８０度回転したときの姿（Ｂ２矢印）を示している。なお、図５では、第一のヒンジユニット２１は第一の回転軸４について回転せず静止した状態を示している。
【００４７】
図６に第一のヒンジユニット２１が回転したときの姿を示す。図６（ａ）は、第一のヒンジユニット２１が下筐体１に対して時計方向に１８０度回転した姿（Ａ２矢印）を示している。図６（ｂ）は、第一のヒンジユニット２１が、下筐体１に対して、時計方向に１８０度回転し（Ａ２矢印）、更に第二のヒンジユニット２２が時計方向に１８０度回転したときの姿（Ｂ２矢印）を示している。第三の回転軸６の先端では、図示しない上筐体３が、Ｃ１とは逆のＣ３矢印の方向に回転したときの姿を示している。図６では、第一のヒンジユニット２１が時計方向に１８０度回転したときの姿を示したが、第一のヒンジユニット２１は、時計方向に９０度回転するようにしても良い（Ａ１矢印）。
【００４８】
図１の状態の各回転軸の回転角度を基準として、今説明したＡ１、Ａ２、Ｂ１、Ｂ２、Ｃ１、Ｃ２、Ｃ３の各回転を組み合わせて上筐体３を動かすと、上筐体３を下筐体１に対して多様な角度で配置することが出来る。図７に第一の回転軸４、第二の回転軸５、第三の回転軸６の各回転角度の組み合わせた形態の代表的なものを系統図的に示す。図７では各回転軸の回転を、図１の状態を基本の形として、記号Ａ、Ｂ、Ｃにサフィックス０を付して、図１の状態の第一の回転軸４の状態を「Ａ０」、第二の回転軸５の状態を「Ｂ０」、第三の回転軸６の状態を「Ｃ０」と示す。そして、第一の回転軸４について時計方向に９０度回転したときを「Ａ１」と、時計方向に１８０度回転したときを「Ａ２」と示す。また、第二の回転軸５について、時計方向に９０度回転したときを「Ｂ１」、同じく時計方向に１８０度回転したときを「Ｂ２」と示す。第三の回転軸６の回転については、反時計方向に９０度程回転したときを「Ｃ１」、１８０度程度回転したときを「Ｃ２」、時計方向に任意の角度回転したときを「Ｃ３」と示す。そして、各々の回転を組み合わせたときの姿を、既に説明した図１、図２の他に、図８から図１６を用いて具体的に示す。
【００４９】
既に説明した図１の状態は、３つの回転軸が回転していないので「Ａ０−Ｂ０−Ｃ０」の組み合わせということになる。この姿は、画像表示部１２だけでなく、テンキー７３を始め多方向キー７７等のキー操作部も、マイクロフォン１０も、スピーカー１１も上筐体３と下筐体１によって隠されているので携行しやすい姿であり、「持ち運びスタイル」と言うことができる。
【００５０】
図１の状態から、上筐体３を第三の回転軸６について反時計方向に９０度程度回転したとき（Ｃ１矢印）は「Ａ０−Ｂ０−Ｃ１」の組み合わせとなり、図２に示したように、上筐体３が電子手帳あるいはノートパソコンのように開いた姿となる。言うならば「横開きスタイル」として、手帳を開くように、上筐体３の画像表示部１２を見ることができる。
【００５１】
図２の状態から、上筐体３を第二の回転軸５について、９０度時計方向に回転すると「Ａ０−Ｂ１−Ｃ１」の組み合わせとなる。その姿は図８に示すように、上筐体３が下筐体１に対して交差した形になっている。上筐体３の画像表示部１２は横長のいわゆるランドスケープの向きに位置している。本発明の携帯電話装置１００では、カメラ１８を下筐体１の端面に向けた形（図８のＤ矢印方向に向いた形）で設けているので、カメラ１８で撮像した映像を上筐体３の画像表示部１２にモニター表示することができる。図８では、画像表示部１２が横向きであり、ビデオカメラでよく用いられている言うならば「横ムービースタイル」としての使い方ができる。
【００５２】
図８の状態から、上筐体３を第二の回転軸５について更に９０度、図１の基準状態からすると１８０度回転した（Ｂ２矢印）ときは、「Ａ０−Ｂ２−Ｃ１」の組み合わせとなる。この姿を図９に示す。図９では上筐体３が下筐体１の上に垂直に起立し、カメラ１８で
撮像した画像は画像表示部１２に縦長のポートレートの画像として表示することができる。
【００５３】
図９の状態から、上筐体３を第三の回転軸６について９０度手前に戻すと、図１０のように下筐体１と上筐体３が同じ平面に向いた「Ａ０−Ｂ２−Ｃ０」の組み合わせとなる。この姿は通常の折り畳み式携帯電話装置で通話するときの姿であり、言うならば「通話スタイル」として使用することができる。なお、図１の状態から上筐体３を第二の回転軸５についてＢ２矢印のように１８０度回転すると図１０の状態になる。なお、本発明の携帯電話装置１００では、カメラ１８の向きを下筐体１について、側面を向いたＤ矢印の向きと、裏面を向いたＥ矢印の向きに向けることが出来るようにしているので、図１０の姿で、上筐体３の画像表示部１２にカメラ１８で撮像した画像を縦型のポートレートのモニター表示として使用することもできる。
【００５４】
図１０の状態から、上筐体３を第一の回転軸４について９０度回転すると、「Ａ１−Ｂ２−Ｃ０」の組み合わせとなる。図１１にその姿を示す。この姿では、上筐体３の画像表示部１２が上を向いたまま横に倒すことが出来るので、カメラ１８を裏面に向けるときに、カメラ１８で撮像した画像を横長のランドスケープでモニター表示することができる。また、電子メールを横書きで表示することができるので、横向き表示スタイルという使い方ができる。
【００５５】
図１１の状態から、上筐体３を第一の回転軸４について、更に９０度、図１の基準の位置から１８０度回転すると（矢印Ａ２）、上筐体３の画像表示部１２が上を向いたまま下筐体１の上に重なる「Ａ２−Ｂ２−Ｃ０」の組み合わせとなる。図１２にその姿を示す。上筐体３の画像表示部１２が外を向いたまま下筐体１の上に折り畳まれた姿になっているので、受信待機時に筐体を折り畳んだ状態において画像表示部１２を確認することができる
なお、本発明の携帯電話装置１００では、カメラ１８を下筐体１について回転自在に支持し、カメラ１８の向きを下筐体の端面を向いた状態から下筐体の裏側を向いた状態に回転させることができる。カメラ１８を下筐体１の裏側に向けた状態で、上筐体の画像表示部１２を外に向けて折り畳んだ図１２の姿はデイジタルカメラの姿と同じであり、ディジタルカメラと同じ使い方ができる。
【００５６】
図１２の状態から、上筐体３を第三の回転軸６について任意の角度だけ手前に（Ｃ３矢印）に回転すると「Ａ２−Ｂ２−Ｃ３」の組み合わせとなる。図１３にその姿を示す。この姿では、下筐体１を上筐体３の後方で支持する支持台として使うことができる。携帯電話装置１００には時計機能が有るため、図１２の姿のまま机の上に置くことによって、置き時計として使用することができる。また、携帯電話装置１００には、図４のブロック図に示したようにテレビチューナー２９を内蔵しているので、液晶テレビ装置として使用することもできる。
【００５７】
また、図１２の状態、すなわち上筐体３の画像表示部１２が上を向いたまま下筐体１の上に重なった状態から、上筐体３を第二の回転軸５について１８０度回転すると、図１４のように、下筐体１のキー操作部のある表面に対して上筐体３の表示部が裏を向いた姿となる。カメラ１８が下筐体１の裏側を向いていれば（Ｅ矢印）、上筐体３の画像表示部１２の向きがカメラ１８の向きと同じ向きになるので、カメラ１８で撮影している自分の姿を画像表示部１２で見て撮影する、いわゆる自分取りが可能になる。
【００５８】
図１４の状態で、上筐体３を第三の回転軸６について時計方向に９０度回転すると（Ｃ１矢印）、図１５のように、カメラ１８を下筐体１の側面に向けた、縦型ムービースタイルとしての使い方で自分撮りをすることができる。
【００５９】
図１５の状態から、第二の回転軸５について反時計方向に９０度回転すると、画像表示部１２は横に倒れ、図１６のように横長のランドスケープの表示をすることができる。
【００６０】
以上、代表的な姿を図示して説明したが、本発明によれば上筐体３を下筐体１に対して多様な角度に位置させて使用することができるという効果がある。回転の組み合わせ方、使い方についても、上記に説明した以外にも種々可能であり、例えば図２の上筐体３を第三の回転軸６について横に開いた（Ｃ２矢印）後、第一のヒンジユニット２１を時計方向に９０度回転して（Ａ１矢印）、図１７のように上筐体３を横にした姿で使うこともできる。
【００６１】
（実施の形態２）
第一の実施の形態では、第一の回転軸４，第二の回転軸５、第三の回転軸６の各回転角度の組み合わせで、上筐体と下筐体の配置を多様な姿に変化させて使用できることを説明したが、本発明の実施の形態２に係る携帯電話装置２００では、特に上筐体を第三の回転軸６について短手方向に開いた、いわゆる横開きの状態での使い勝手を向上させる機能を追加している。
【００６２】
既に、テンキーのキートップの文字、数字の向きを斜めに表示して、手帳のように長手方向に手で持ったときにも、ノートパソコンのように机に置いたときにも文字や記号が見やすく入力しやすくしてあることは説明したが、本発明の実施の形態２に係る携帯電話装置２００では、手帳のように長手方向に手で持って上筐体３を横に開いたときは画面表示部１２の天地を長手方向となるように、ノートパソコンのように机の上に置いて上筐体３を開くときは、画面表示部１２の天地を短手方向となるように画面表示部１２の表示の向きを切り替える機能を付加している。以下、図面とともに説明する。
【００６３】
図１８（ａ）に、本発明の第二の実施の形態に係る折り畳み式携帯電話装置２００を、手帳のように手９０で長手方向に持って、上筐体３を横に開いたときのいわゆる横開き状態で使用するときの外観図を示す。折り畳み式携帯電話装置２００では下筐体１の側面の表示切替キー７２の位置を、図１８（ａ）に示すように、使用者が、折り畳み式携帯電話装置２００を手９０で持ったときに、手の指９１が自然に触れる位置に設けている。そして表示切替キー７２には、指が触れていることを検出する接触センサーとしての機能を付加している。使用者が折り畳み式携帯電話装置２００を手９０で持って上筐体を開くときには、表示切替キー７２に手の指が接触した状態で開く動作が行われる。
【００６４】
一方、図１８（ｂ）に示すように、折り畳み式携帯電話装置２００を机の上に置いて、ノートパソコンのように上筐体を開くときには、折り畳み式携帯電話装置２００を手で持っていないので、表示切替キー７２に手の指９１が接触していない状態で開く動作が行われる。本発明は、上筐体を開く動作が行われる際に、表示切替キー７２について手の指が触れているか否かによって画面表示部１２の向きを切り替えている。図１９に制御動作のフローチャートを示す。
【００６５】
図１９で、折り畳み式携帯電話装置２００に電源が入ると、全体制御手段が動作する（ステップＳ１）。第一の回転検出手段３１，第二の回転検出手段３３，第三の回転検出手段３５から上筐体が第三の回転軸６についてだけ開いていく、いわゆる横開きがスタートしたことを検出すると（ステップＳ２）、表示切替キー７２に指９１が接触しているか否かを判定し（ステップＳ３）、指９１が接触していれば、上筐体３の画像表示部１２に画像や文字を長手方向に表示する（ステップＳ４）。その後、上筐体が閉じられると（ステップＳ５）、表示を消すが（ステップＳ６）、上筐体が一度横に開いてから閉じられるまでは、表示の向きを維持するようにしている。もし、横開きがスタートしたときにスイッ
チ７２に指９１が接触していなければ、上筐体３の画像表示部１２に画像や文字を短手方向に表示するようにしている（ステップＳ７）。
【００６６】
上記構成により、本発明の実施の形態２に係る携帯電話装置２００では、上筐体を下筐体に対して多様な回転角度で開閉したり、回転したりすることが出来るだけでなく、特にいわゆる上筐体を短手方向に、いわゆる横開きの状態で使用する際に、使い方、すなわち上筐体の持ち方と開き方の組み合わせに応じて画像表示部１２の表示の向きを切り替えることが出来るという利点がある。
【産業上の利用可能性】
【００６７】
本発明は、折り畳み式携帯電話装置以外に折り畳み式ＰＤＡやゲーム機にも適用することができる。
【図面の簡単な説明】
【００６８】
【図１】本発明の第一の実施の形態に係る携帯電話装置の外観図
【図２】本発明の第一の実施の形態に係る携帯電話装置の上筐体を開いた状態の外観図
【図３】本発明の第一の実施の形態に係る携帯電話装置の断面図
【図４】本発明の第一の実施の形態に係る携帯電話装置のブロック図
【図５】（ａ）本発明の第一の実施の形態に係るヒンジユニットの動作を示す外観図（ｂ）本発明の第一の実施の形態に係るヒンジユニットの第二のヒンジユニットを９０度回転したときの外観図（ｃ）本発明の第一の実施の形態に係るヒンジユニットの第二のヒンジユニットを１８０度回転したときの外観図
【図６】（ａ）本発明の第一の実施の形態に係るヒンジユニットの第一のヒンジユニットを回転したときの外観図（ｂ）本発明の第一の実施の形態に係るヒンジユニットの第一のヒンジユニットと第二のヒンジユニットを回転したときの外観図
【図７】本発明の第一の実施の形態に係る携帯電話装置のヒンジユニットの回転角度と折り畳み状態の関係を示す系統図
【図８】本発明の第一の実施の形態に係る携帯電話装置の使用状態を示す外観図
【図９】本発明の第一の実施の形態に係る携帯電話装置の使用状態を示す外観図
【図１０】本発明の第一の実施の形態に係る携帯電話装置の使用状態を示す外観図
【図１１】本発明の第一の実施の形態に係る携帯電話装置の使用状態を示す外観図
【図１２】本発明の第一の実施の形態に係る携帯電話装置の使用状態を示す外観図
【図１３】本発明の第一の実施の形態に係る携帯電話装置の使用状態を示す外観図
【図１４】本発明の第一の実施の形態に係る携帯電話装置の使用状態を示す外観図
【図１５】本発明の第一の実施の形態に係る携帯電話装置の使用状態を示す外観図
【図１６】本発明の第一の実施の形態に係る携帯電話装置の使用状態を示す側面図
【図１７】本発明の第一の実施の形態に係る携帯電話装置の使用状態を示す側面図
【図１８】（ａ）本発明の第二の実施の形態に係る携帯電話装置を手で持って開いたときの外観図（ｂ）本発明の第二の実施の形態に係る携帯電話装置を手で持たないで開いたときの外観図
【図１９】本発明の第二の実施の形態に係る携帯電話装置の表示方向切り替え制御動作のフローチャート
【符号の説明】
【００６９】
１  下筐体
２  ヒンジユニット
３  上筐体
４  第一の回転軸
５  第二の回転軸
６  第三の回転軸
１０  マイクロフォン
１１  スピーカー
１２  画像表示部
１３  第一のプリント基板
１４  フレキシブル基板
１５  第二のプリント基板
１６  コネクター
１８  カメラ
２１  第一のヒンジユニット
２２  第二のヒンジユニット
【図１】
2005198062.tif 000003
【図２】
2005198062.tif 000004
【図３】
2005198062.tif 000005
【図４】
2005198062.tif 000006
【図５】
2005198062.tif 000007
【図６】
2005198062.tif 000008
【図７】
2005198062.tif 000009
【図８】
2005198062.tif 000010
【図９】
2005198062.tif 000011
【図１０】
2005198062.tif 000012
【図１１】
2005198062.tif 000013
【図１２】
2005198062.tif 000014
【図１３】
2005198062.tif 000015
【図１４】
2005198062.tif 000016
【図１５】
2005198062.tif 000017
【図１６】
2005198062.tif 000018
【図１７】
2005198062.tif 000019
【図１８】
2005198062.tif 000020
【図１９】
2005198062.tif 000021